(57)【要約】  【課題】給油口内に装着されたフィルタの底部が給油口の下端部からタンク本体内へ突出するように構成されている燃料タンクの給油口フィルタにおいて、給油口の下端部とタンク本体の上面部との境界を識別できるようにして、給油量過多による燃料の溢れ出しを防止する。  【解決手段】給油口２の内壁部に支持部材３を取り付けて、カップ型のフィルタ４の上面フランジ４ａを支持するとともに、フィルタ４の側面には、給油口の下端部２ａとタンク本体の上面部１ａとの境界位置６に、給油口２の上方から視認可能な境界線１０を設けて境界識別手段とする。【選択図】図２
2006205814.tif 000002
【特許請求の範囲】
【請求項１】
タンク本体の上面部に筒状の給油口が突設され、該給油口の内壁部に支持部材を取り付けて、カップ型のフィルタの上面開口部を支持するとともに、該フィルタの底部が前記給油口の下端部からタンク本体内へ突出するように構成された燃料タンクの給油口フィルタにおいて、
前記フィルタには、前記給油口の下端部とタンク本体の上面部との境界位置に、境界識別手段を設けたことを特徴とする燃料タンクの給油口フィルタ。
【請求項２】
上記フィルタの側面には、給油口の下端部とタンク本体の上面部との境界位置に、給油口の上方から視認可能な境界線を設けて上記境界識別手段とした請求項１記載の燃料タンクの給油口フィルタ。
【請求項３】
上記フィルタは、上部と下部とで材質を異に形成するとともに、前記給油口の下端部とタンク本体の上面部との境界位置に、給油口の上方から視認可能な上部と下部との接合部を配置して上記境界識別手段とした請求項１記載の燃料タンクの給油口フィルタ。
【発明の詳細な説明】
【技術分野】
【０００１】
本発明は燃料タンクの給油口フィルタに関するものであり、特に、給油口の内部にカップ型のフィルタを支持するように構成した燃料タンクの給油口フィルタに関するものである。
【背景技術】
【０００２】
従来、此種燃料タンクの給油口フィルタでは、図４に示すように、タンク本体１の上面部１ａに筒状の給油口２が突設され、該給油口２の内壁面に支持部材３を取り付けて、カップ型のフィルタ４の上面開口部に設けたフランジ４ａを前記支持部材３にて支持するとともに、該フィルタ４の底部４ｂが給油口２の下端部２ａからタンク本体１の内部へ突出するように構成されている。そして、給油口２の上面開口部２ｂから給油ノズル（図示せず）を差し込んでその先端部を前記フィルタ４の中へ挿入し、給油中の不純物をフィルタ４にて捕集することにより、燃料タンク１の内部に不純物が侵入しないようにしている。
【０００３】
また、燃料タンクに着座する座金を貫通して固定されたアウタパイプと、アウタパイプと間隔をあけてその内側に固定されたインナパイプと、インナパイプの下部に垂設されたストレーナとからなり、上記インナパイプの上端部側周面に燃料タンク内の空気抜き穴が多数設けられている燃料給油口が知られている（例えば、特許文献１参照）。
【特許文献１】実公平４−１４０８６号公報
【発明の開示】
【発明が解決しようとする課題】
【０００４】
図４に示した従来の燃料タンクの給油口フィルタは、フィルタ４の全長Ｌのうち、給油口の下端部２ａから下のフィルタ下部Ｌ１はタンク本体１の中にあり、タンク本体１の容量が大きいため、給油中にフィルタ下部Ｌ１における油面５の上昇速度は緩慢である。しかし、給油口の下端部２ａから上のフィルタ上部Ｌ２は給油口２の中にあり、タンク本体１と比較して給油口２の容積が著しく小さいため、給油中にフィルタ上部Ｌ２における油面５の上昇速度は急峻となる。
【０００５】
上面開口部２ｂから給油ノズルをフィルタ４の中へ差し込んでいる状態では、給油口の下端部２ａとタンク本体の上面部１ａとの境界位置６は視認することはできず、油面５の上昇状態を監視しながら給油を停止するのであるが、油面５がフィルタ４の下部Ｌ１の部分から上部Ｌ２の部分へ上昇した後は、油面５の上昇速度が急激に速くなるので給油停止が遅れ易く、給油量が過多となって給油口の上面開口部２ｂから燃料が溢れ出すことがある。これを防ぐために、作業者がフィルタ４を取り外して給油することもあり、然るときはフィルタによるろ過機能が損なわれてしまう。
【０００６】
特許文献１記載の発明は、給油時に燃料タンク内の空気が空気抜き穴から排出されることで燃料の流入が円滑となり、給油途中の燃料の詰まりを防止して給油時間を短縮するものである。しかし、給油終了時に油面が上昇して給油口から燃料が溢れ出すのを防止することはできない。
【０００７】
そこで、給油口内に装着されたフィルタの底部が給油口の下端部からタンク本体内へ突出するように構成されている燃料タンクの給油口フィルタにおいて、給油口の下端部とタンク本体の上面部との境界を識別できるようにして、給油量過多による燃料の溢れ出しを防止するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、タンク本体の上面部に筒状の給油口が突設され、該給油口の内壁部に支持部材を取り付けて、カップ型のフィルタの上面開口部を支持するとともに、該フィルタの底部が前記給油口の下端部からタンク本体内へ突出するように構成された燃料タンクの給油口フィルタにおいて、前記フィルタには、前記給油口の下端部とタンク本体の上面部との境界位置に、境界識別手段を設けた燃料タンクの給油口フィルタを提供する。
【０００９】
この構成によれば、フィルタに設けた境界識別手段により、給油口の下端部とタンク本体の上面部との境界位置を識別することができ、給油中に油面が境界識別手段が設けられた位置まで上昇したときは、油面が給油口の下端部とタンク本体の上面部との境界位置まで上昇したと判断して、給油口から燃料が溢れ出す前に給油を停止することができる。
【００１０】
請求項２記載の発明は、上記フィルタの側面には、給油口の下端部とタンク本体の上面部との境界位置に、給油口の上方から視認可能な境界線を設けて上記境界識別手段とした請求項１記載の燃料タンクの給油口フィルタを提供する。
【００１１】
この構成によれば、給油口の上方から視認可能な境界線を境界識別手段としたことにより、給油中に油面がこの境界線まで上昇したときは、油面が給油口の下端部とタンク本体の上面部との境界位置まで上昇したと判断して、給油口から燃料が溢れ出す前に給油を停止することができる。
【００１２】
請求項３記載の発明は、上記フィルタは、上部と下部とで材質を異に形成するとともに、前記給油口の下端部とタンク本体の上面部との境界位置に、給油口の上方から視認可能な上部と下部との接合部を配置して上記境界識別手段とした請求項１記載の燃料タンクの給油口フィルタを提供する。
【００１３】
この構成によれば、材質を異にするフィルタの上部と下部との接合部を境界識別手段としたことにより、給油中に油面がこの接合部まで上昇したときは、油面が給油口の下端部とタンク本体の上面部との境界位置まで上昇したと判断して、給油口から燃料が溢れ出す前に給油を停止することができる。
【発明の効果】
【００１４】
請求項１記載の発明は、フィルタに設けた境界識別手段により、給油口の下端部とタンク本体の上面部との境界位置を識別することができる。したがって、給油中に油面がフィルタに設けた境界識別手段が設けられた位置まで上昇したときは、油面が給油口の下端部とタンク本体の上面部との境界位置まで上昇したと判断して給油を停止することができ、給油量過多による燃料の溢れ出しを防止することができる。
【００１５】
請求項２記載の発明は、フィルタに境界線を設けて上記境界識別手段とし、この境界線を視認することにより、請求項１記載の発明の効果に加えて、給油口の下端部とタンク本体の上面部との境界位置を給油口の上方から確実に識別することができる。
【００１６】
請求項３記載の発明は、フィルタの材質を上部と下部とで異にしてその接合部を上記境界識別手段とし、この接合部を視認することにより、請求項１記載の発明の効果に加えて、給油口の下端部とタンク本体の上面部との境界位置を給油口の上方からより一層確実に識別することができる。
【発明を実施するための最良の形態】
【００１７】
以下、本発明に係る建設機械の燃料給油口について、好適な実施例をあげて説明する。給油口の下端部とタンク本体の上面部との境界を分かるようにして、給油量過多による燃料の溢れ出しを防止するという目的を、給油口内に装着されたフィルタの底部が給油口の下端部からタンク本体内へ突出するように構成されている燃料タンクの給油口フィルタにおいて、前記フィルタには、給油口の下端部とタンク本体の上面部との境界位置に、境界識別手段を設けたことにより実現した。
【実施例１】
【００１８】
図１は建設機械の一例として油圧ショベル１０を示し、下部走行体１１の上に旋回機構１２を介して上部旋回体１３が旋回自在に載置されている。上部旋回体１３にはその前方一側部にキャブ１４が設けられ、且つ、前方中央部にブーム１５が俯仰可能に取り付けられている。更に、ブーム１５の先端にアーム１６が上下回動自在に取り付けられ、該アーム１６の先端にバケット１７が取り付けられている。
【００１９】
また、上部旋回体１３の後部にはエンジン１８を横向きに搭載してあり、該エンジン１８の前方部に油圧ポンプをはじめとする各種機器（図示せず）が設けられ、更に、燃料タンク１９及び作動油タンク２０が取り付けられている。これらエンジン１８や各種機器並びに燃料タンク１９等はハウスカバー２１にて被蔽されている。
【００２０】
図２は実施例１に係る燃料タンクの給油口部分を示し、説明の都合上、背景技術にて説明した構成と同一構成部分には同一符号を使用するものとする。タンク本体１の上面部１ａに筒状の給油口２が突設され、この給油口２の内壁面に支持部材３を取り付けて、カップ型のフィルタ４の上面開口部に設けたフランジ４ａを前記支持部材３にて支持するように構成されている。
【００２１】
前記フィルタ４は、給油される燃料をろ過して不純物を捕集できるように、金属や合成樹脂のメッシュ材にて形成されている。該フィルタ４の側面には、給油口の下端部２ａとタンク本体の上面部１ａとの境界位置６に、境界識別手段として、給油口の上方から識別可能な境界線１０を設けてある。
【００２２】
この境界線１０は、給油口の上方から視認できるようにフィルタ４の内側面或いは内外両側面に設けられており、ペイントなどの塗装によって形成されるほか、金属や樹脂のワイヤを固着して形成してもよい。また、メッシュ材にリブ加工を施して形成することもできる。或いは、フィルタ４の上部全体若しくは下部全体をペイントなどの塗装を施して、その端部を境界線１０としてもよい。
【００２３】
而して、給油口２の上面開口部２ｂから前記フィルタ４の中へ給油ノズル（図示せず）を差し込んだ状態でも、作業者は前記給油口の上面開口部２ｂから前記境界線１０を容易に視認することができる。したがって、給油中に油面５の上昇状態を監視しながら油面５が前記境界線１０の位置まで上昇したことを視認したときは、給油口の下端部２ａとタンク本体の上面部１ａとの境界位置６まで油面５が上昇したと判断して給油を停止することができ、給油量過多による燃料の溢れ出しを防止することができる。
【実施例２】
【００２４】
図３は実施例２に係る燃料タンクの給油口部分を示し、説明の都合上、実施例１にて説明した構成と同一構成部分には同一符号を使用して重複説明は省略するものとする。同図に示すように、フィルタ４の全長Ｌのうち、給油口の下端部２ａから下のタンク本体１の中にあるフィルタ下部Ｌ１は、実施例１記載のフィルタと同様に、給油される燃料をろ過して不純物を捕集できるように、金属や合成樹脂のメッシュ材にて形成されている。
【００２５】
これに対して、給油口の下端部２ａから給油口２の中にあるフィルタ上部Ｌ２は、前記フィルタ下部Ｌ１とは異なる材質にて形成されており、フィルタ下部Ｌ１とフィルタ上部Ｌ２との接合部２０が、給油口の下端部２ａとタンク本体の上面部１ａとの境界位置６に位置するように形成して、該接合部２０を境界識別手段とする。
【００２６】
前記フィルタ上部Ｌ２の材質はフィルタ下部Ｌ１と識別容易であれば特に限定されないが、例えば、金属や合成樹脂の筒状体であってもよい。一般には、給油ノズルをフィルタ４の内部へ挿入して給油するので、フィルタ上部Ｌ２はメッシュ材でなくとも、ろ過機能がそれほど低下する虞はない。
【００２７】
而して、給油口２の上面開口部２ｂから前記フィルタ４の中へ給油ノズル（図示せず）を差し込んだ状態でも、作業者は前記給油口の上面開口部２ｂから前記接合部２０を容易に視認することができる。したがって、実施例１の構成と同様に、給油中に油面５の上昇状態を監視しながら油面５が前記接合部２０の位置まで上昇したことを視認したときは、給油口の下端部２ａとタンク本体の上面部１ａとの境界位置６まで油面５が上昇したと判断して給油を停止することができ、給油量過多による燃料の溢れ出しを防止することができる。
【００２８】
なお、本発明は、本発明の精神を逸脱しない限り種々の改変を為すことができ、そして、本発明が該改変されたものに及ぶことは当然である。
【図面の簡単な説明】
【００２９】
【図１】本発明を適用した油圧ショベルの側面図。
【図２】本発明の実施例１に係る燃料タンクの給油口部分を示す一部切欠縦断面図。
【図３】本発明の実施例２に係る燃料タンクの給油口部分を示す一部切欠縦断面図。
【図４】従来型の燃料タンクの給油口部分を示す一部切欠縦断面図。
【符号の説明】
【００３０】
１    タンク本体
１ａ  上面部
２    給油口
２ａ  下端部
２ｂ  上面開口部
３    支持部材
４    フィルタ
４ａ  フランジ
４ｂ  底部
５    油面
６    境界位置
Ｌ１    フィルタ下部
Ｌ２    フィルタ上部
【図１】
2006205814.tif 000003
【図２】
2006205814.tif 000004
【図３】
2006205814.tif 000005
【図４】
2006205814.tif 000006